(57)【要約】【課題】筆先部を効果的に保護できる入力ペンを提供すること。【解決手段】本発明に係る入力ペンは、中空のスリーブと、前記スリーブ内に引出可能に収納され且つ一端に筆先部を有する筆芯部と、前記筆先部に被せられるキャップと、を備えてなる。前記筆先部の外周面には係合凹溝が設けられており、前記キャップ内には第一係止部材及び第二係止部材が装着されている。前記第一係止部材は前記係合凹溝内に係脱可能に係止され、前記第二係止部材は前記スリーブに係脱可能に係止される。前記第一係止部材と前記係合凹溝との係止力は、前記第二係止部材と前記スリーブとの係止力より大きい。【選択図】図５
2011165168.tif 000002
【特許請求の範囲】
【請求項１】
中空のスリーブと、
前記スリーブ内に引出可能に収納され且つ一端に筆先部を有する筆芯部と、
前記筆先部に被せられるキャップと、
を備えてなる入力ペンであって、
前記筆先部の外周面には、係合凹溝が設けられており、前記キャップ内には、第一係止部材及び第二係止部材が装着されており、
前記第一係止部材は、前記係合凹溝内に係脱可能に係止され、前記第二係止部材は、前記スリーブに係脱可能に係止され、
前記第一係止部材と前記係合凹溝との係止力は、前記第二係止部材と前記スリーブとの係止力より大きいことを特徴とする入力ペン。
【請求項２】
前記第一係止部材は、筒状部及び前記筒状部の一端から離間して向き合うように延伸する２つの第一係止アームを含み、
前記各第一係止アームの内表面には、前記筆先部の係合凹溝に係止される凸状リブが設けられていることを特徴とする請求項１に記載の入力ペン。
【請求項３】
前記入力ペンは、前記スリーブに螺合され且つ軸方向に沿って貫通孔を有する連結部材をさらに含み、
前記筆芯部は、前記貫通孔内に係止されることを特徴とする請求項１に記載の入力ペン。
【請求項４】
前記連接部材の内表壁には、凸状リブが設けられており、前記筆芯部における前記筆先部側とは反対側の他端の外周には、固定凹溝が設けられており、
前記凸状リブは、前記固定凹溝内に係脱可能に係止され、且つ前記凸状リブと前記固定凹溝との係止力は、前記第一係止部材と前記係合凹溝との係止力より大きいことを特徴とする請求項３に記載の入力ペン。
【請求項５】
前記連結部材の一端の外周には、係合凹溝を有し、前記連結部材の他端には、離間して設置されている２つの保持アームを有し、
前記第二係止部材は、前記連結部材の係合凹溝内に係脱可能に係止され、前記２つの保持アームは、前記筆芯部を保持することに用いられることを特徴とする請求項３に記載の入力ペン。
【発明の詳細な説明】
【技術分野】
【０００１】
本発明は、入力ペンに関し、特に携帯式電子装置に用いられる入力ペンに関するものである。
【背景技術】
【０００２】
移動電話や個人用携帯情報端末（ＰＤＡ）などのような携帯式電子装置に使用される入力ペンは、通常、携帯式電子装置のハウジングに内蔵されるため、前記携帯式電子装置の内部空間を浪費するという問題がある。これを解決するために、外掛け式の入力ペンが設計された。
【発明の概要】
【発明が解決しようとする課題】
【０００３】
既存の外掛け式の入力ペンは、スライドして伸長されるロッド部及び前記ロッド部の筆先部に被せられるキャップを備える。使用する場合は、前記筆先部に係合されている前記キャップを取り外してから、手で前記筆先部を引っ張って、前記ロッド部を前記スリーブに対して長く伸長させる。また、前記ロッド部を前記スリーブ内に収める場合は、手で前記筆先部を推進して、前記ロッド部を前記スリーブ内に収容させる。このため、前記筆先部のタッチ部は損傷し易いという問題がある。
【０００４】
そこで、本発明は上記問題点を鑑みてなされたものであり、筆先部を効果的に保護できる入力ペンを提供することを目的とする。
【課題を解決するための手段】
【０００５】
前記問題を解決するために、本発明に係る入力ペンは、中空のスリーブと、前記スリーブ内に引出可能に収納され且つ一端に筆先部を有する筆芯部と、前記筆先部に被せられるキャップと、を備えてなる。前記筆先部の外周面には係合凹溝が設けられており、前記キャップ内には第一係止部材及び第二係止部材が装着されている。前記第一係止部材は前記係合凹溝内に係脱可能に係止され、前記第二係止部材は前記スリーブに係脱可能に係止される。前記第一係止部材と前記係合凹溝との係止力は、前記第二係止部材と前記スリーブとの係止力より大きい。
【発明の効果】
【０００６】
従来の技術に比べて、本発明の入力ペンの伸長過程において、キャップは常に筆芯部の筆先部に被せられているため、前記筆先部が損傷されることを避けることができる。また、引出された筆芯部をスリーブ内に収める場合は、前記キャップを前記筆芯部の筆先部に被せてから、前記スリーブに向けて前記キャップを推進することにより、前記筆芯部を前記スリーブ内に収容させることができるので、利用者の手が前記筆先部に直接に接触することを避けて、前記筆先部を効果的に保護する。
【図面の簡単な説明】
【０００７】
【図１】本発明に係る入力ペンの分解図である。
【図２】本発明に係る入力ペンの組立図である。
【図３】本発明に係る入力ペンのロッド部が長く伸長された状態を示す図である。
【図４】本発明に係る入力ペンのキャップが取り外された状態を示す図である。
【図５】図２に示した入力ペンのＶ−Ｖ線に沿った断面図である。
【図６】図３に示した入力ペンのＶＩ−ＶＩ線に沿った断面図である。
【図７】図４に示した入力ペンのＶＩＩ−ＶＩＩ線に沿った断面図である。
【発明を実施するための形態】
【０００８】
図１に示すように、本発明に係る入力ペン１００は、スリーブ１０と、前記スリーブ１０に螺合される連結部材２０と、前記スリーブ１０内に引出可能に収納される筆芯部３０と、前記筆芯部３０の先端部に被せられるキャップ４０と、を備える。
【０００９】
前記スリーブ１０の軸方向に沿った中部には、収容空洞部１２が設けられ、前記スリーブ１０の開口端の内表面には、ねじ山１４が設けられる（図５を参照）。前記連結部材２０と前記筆芯部３０とは、前記収容空洞部１２内に収納される。
【００１０】
前記連結部材２０は、外周面の一部にねじ山２２２が設けられている連結部２２と、前記連結部２２の両端からそれぞれ延伸されている嵌合部２４及び係止部２６と、前記連結部材２０の全体を貫通する貫通孔２８（図５を参照）と、を含む。前記嵌合部２４は、略筒状であり、その外周面にはリング状の係合凹溝２４２が設けられている。前記係止部２６は、前記ねじ山２２２側に位置し、且つ離間設置されている２つの保持アーム２６２を含む。前記２つの保持アーム２６２間の最大ピッチは前記貫通孔２８の直径より大きいため、前記連結部２２と前記係止部２６との接続部位には段差２９が形成される（図５を参照）。各保持アーム２６２の内表面には、前記筆芯部３０と互いに係合する凸状リブ２６２２が設けられている。
【００１１】
前記筆芯部３０は、円柱状のロッド部３２と、前記ロッド部３２の両端からそれぞれ延伸されている筆先部３４及び筆尾部３６と、を含む。前記筆尾部３６の直径は、前記ロッド部３２の直径より大きい。前記筆先部３４の先端部には、前記携帯式電子装置をタッチすることに使用されるタッチ部３４２が設けられている。前記筆先部３４の外周面には、前記キャップ４０に係合されるリング状の係合凹溝３４４が設けられている。前記筆尾部３６は、対称に延伸されている２つの係止アーム３６２を含み、各係止アーム３６２の外周面には、固定凹溝３６２２が設けられている。前記連結部材２０の凸状リブ２６２２を前記係止アーム３６２の固定凹溝３６２２に係止することにより、前記筆芯部３０を前記連結部材２０内に固定する。
【００１２】
図５を参照すると、前記キャップ４０は、筒部４２、第一係止部材４４、第二係止部材４６、止め部材４８及びストラップ４９を含む。前記筒部４２は、環状の周壁４２２と、前記周壁４２２に垂直に連結する底壁４２４と、前記周壁４２２及び前記底壁４２４に囲まれて形成される収容空洞部４２６と、を含む。前記底壁４２４の中部には通路４２４２を有する。
【００１３】
前記第一係止部材４４は、筒状部４４２及び前記筒状部４４２の一端に離間して延伸されている２つの第一係止アーム４４４を含む。各第一係止アーム４４４の内表面には、前記筆芯部３０の係合凹溝３４４に係止される凸状リブ４４４２が設けられている。
【００１４】
前記第二係止部材４６は、筒状部４６２及び前記筒状部４６２の一端に離間して延伸されている２つの第二係止アーム４６４を含む。各第二係止アーム４６４の内表面には、前記連結部材２０の係合凹溝２４２内に係止される凸状リブ４６４２が設けられている。
【００１５】
前記止め部材４８は、リング状の部材であり、前記第一係止部材４４と前記第二係止部材４６とを前記筒部４２内に固定収納することに用いられる。
【００１６】
前記ストラップ４９は、固定ブロック４９２及び前記固定ブロック４９２に固定される縄部４９４を含む。前記固定ブロック４９２のサイズは、前記筒部４２の通路４２４２の最小直径より大きく、前記固定ブロック４９２を前記筒部４２の通路４２４２内に収容することにより、前記ストラップ４９を前記筒部４２に掛止することができる。前記縄部４９４は、前記筒部４２の通路４２４２から引出される。
【００１７】
以下、図１乃至図５を参照しながら、本発明の入力ペン１００の組立てステップについて詳細に説明する。
【００１８】
まず、前記連結部材２０を前記スリーブ１０に螺着してから、前記筆尾部３６を前記貫通孔２８へ挿入して前記ロッド部３２を前記連結部材２０の貫通孔２８を貫通させることで、前記ロッド部３２を前記スリーブ１０内に収納させる。この際、前記筆先部３４は、前記連結部材２０の嵌合部２４から延出される。
【００１９】
次に、前記ストラップ４９の固定ブロック４９２を前記筒部４２内に設置して、前記ストラップ４９の縄部４９４を前記筒部４２の通路４２４２から引出す。ついで、前記第一係止部材４４の筒状部４４２を前記筒部４２に対向する状態となるように、前記筒部４２内に押し込んでから、前記第二係止部材４６の筒状部４６２も前記筒部４２に対向する状態となるように、前記筒部４２内に押し込む。これにより、前記筒部４２内で、前記第二係止部材４６の筒状部４６２を前記第一係止部材４４の第一係止アーム４４４に係合させる。この際、前記筒部４２内に収納されている前記第一係止部材４４の第一係止アーム４４４と前記第二係止部材４６の第二係止アーム４６４とは、全て前記筒部４２の周壁４２２に離間するように位置する。その後、前記止め部材４８を前記筒部４２内に押し込んで前記第二係止部材４６の一端に当止させてから、半田を介して前記止め部材４８を前記筒部４２内に固定する。
【００２０】
最後に、前記一体に組み立てたキャップ４０を前記連結部材２０及び前記筆芯部３０に被せて、前記第一係止部材４４の凸状リブ４４４２を前記筆芯部３０の係合凹溝３４４内に係合させると共に、前記第二係止部材４６の凸状リブ４６４２を前記連結部材２０の係合凹溝２４２内に係合させる。これで、前記入力ペン１００の組立てを完成する。
【００２１】
図３乃至図７に示すように、前記入力ペン１００を使用する場合、前記キャップ４０を前記スリーブ１０から離れる方向に引っ張ると、前記キャップ４０の連動によって前記キャップ４０の第二係止部材４６の凸状リブ４６４２は、前記連結部材２０の係合凹溝２４２から離脱され、且つ前記筆芯部３０は前記筆尾部３６が前記連結部材２０の段差２９に当止されるまで、前記スリーブ１０から引出される。前記筆尾部３６の固定凹溝３６２２が前記連結部材２０の凸状リブ２６２２に係合されると、前記筆芯部３０は、前記連結部材２０にロックされて静止され、且つ前記スリーブ１０に対して完全に伸長される。最後に、さらに前記キャップ４０を引っ張って、その内の第一係止部材４４の凸状リブ４４４２を前記筆先部３４の係合凹溝３４４から離脱させれば、前記入力ペン１００を使用することができる。
【００２２】
また、前記キャップ４０の連動により前記筆芯部３０を前記スリーブ１０から伸長させるため、前記キャップ４０の凸状リブ４４４２と前記筆芯部３０の係合凹溝３４４との係止力を、前記キャップ４０の凸状リブ４６４２と前記連結部材２０の係合凹溝２４２との係止力より大きくするべきである。
【００２３】
また、前記連結部材２０を省略しても構わない。即ち、前記凸状リブ２６２２を前記スリーブ１０の内表壁に直接に設けると共に、前記係合凹溝２４２を前記スリーブ１０の外表壁に設ける。前記筆芯部３０を前記スリーブ１０内に装着するため、前記筆尾部３６の直径を前記ロッド部３２の直径と同じにするべきである。且つ、前記キャップ４０を前記筆芯部３０から順調に取り外すためには、前記筆芯部３０の固定凹溝３６２２と前記スリーブ１０の凸状リブ２６２２との係止力を、前記キャップ４０の第一係止部材４４の凸状リブ４４４２と前記筆芯部３０の係合凹溝３４４との係止力より大きくするべきである。
【００２４】
本発明の入力ペン１００の伸長過程において、前記キャップ４０は常に前記筆芯部３０のタッチ部３４２に被せられているため、利用者の手が前記タッチ部３４２に接触されることを避けて、前記タッチ部３４２を効果的に保護する。
【００２５】
また、前記引出された筆芯部３０を前記スリーブ１０内に収める場合は、前記キャップ４０を前記筆芯部３０の筆先部３４に被せてから、前記スリーブ１０に向けて前記キャップ４０を推進することにより、前記筆芯部３０を前記スリーブ１０内に収容させることができるので、利用者の手が前記筆先部３４のタッチ部３４２に直接に接触することを避けて、前記タッチ部３４２を効果的に保護する。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２７】
１０      スリーブ
１２      収容空洞部
１４      ねじ山
２０      連結部材
２２      連結部
２４      嵌合部
２６      係止部
２８      貫通孔
２９      段差
３０      筆芯部
３２      ロッド部
３４      筆先部
３６      筆尾部
４０      キャップ
４２      筒部
４４      第一止め部材
４６      第二止め部材
４８      止め部材
４９      ストラップ
２２２    ねじ山
２４２    係合凹溝
２６２    保持アーム
３４２    タッチ部
３４４    係合凹溝
３６２    係止アーム
４２２    周壁
４２６    収容空洞部
４４２    筒状部
４４４    第一係止アーム
４６２    筒状部
４６４    第二係止アーム
４９２    固定ブロック
４９４    縄部
２６２２  凸状リブ
３６２２  固定凹溝
４２４２  通路
４４４２  凸状リブ
４６４２  凸状リブ
【図１】
2011165168.tif 000003
【図２】
2011165168.tif 000004
【図３】
2011165168.tif 000005
【図４】
2011165168.tif 000006
【図５】
2011165168.tif 000007
【図６】
2011165168.tif 000008
【図７】
2011165168.tif 000009